(57)【特許請求の範囲】
【請求項１】
前面カバーと背面カバーとの間に、第１の表示器と、この第１の表示器を駆動制御する第１の回路基板と、第２の表示器と、この第２の表示器を駆動制御する第２の回路基板とを、前記第１の回路基板の前方に前記第２の回路基板が厚み方向に重なるように収納してなる表示装置において、前記第１の回路基板はその背面側に第１の外部コネクタと挿入接続される第１のコネクタを有すると共に前記第２の回路基板と厚み方向に重なる位置に開口部が設けられ、前記第２の回路基板はその背面側に第２の外部コネクタと挿入接続される第２のコネクタが前記開口部を貫通するように設けられ、前記背面カバーに前記第１のコネクタを露出させる第１の貫通部と前記第２のコネクタを露出させる第２の貫通部とを形成してなることを特徴とする表示装置。
【請求項２】
前記背面カバーが前記第１の回路基板側に凹む凹部を有し、この凹部の底壁部に前記第２の貫通部を設けたことを特徴とする請求項１記載の表示装置。
【請求項３】
前記凹部の側壁部と前記第２のコネクタの外周壁部との間に空間部を設けたことを特徴とする請求項２記載の表示装置。
【発明の詳細な説明】
【技術分野】
【０００１】
本発明は、例えば自動車やオートバイ、農機、建機の車両用計器として使用される表示装置に関し、特に回路基板と外部との接続構造に関する。
【背景技術】
【０００２】
この種の表示装置として例えば下記特許文献１に記載されたものが知られている。この表示装置は、液晶表示器からなる表示器と、この表示器を保持する保持体と、この保持体の背後に配置される回路基板と、この回路基板の背面を覆う背面カバーとから構成される液晶表示ユニットであり、回路基板による電気的な制御のもと表示器を動作させると共に回路基板の背面に外部回路と接続されるコネクタを実装し、このコネクタを背面カバーの開口から露出させて、外部回路へと繋がる相手側コネクタをプラグイン接続可能に設けている。
【０００３】
またこの種の表示装置として例えば下記特許文献２に記載されたものも知られている。この表示装置は、前面カバーと背面カバーとの間に、指針式計器からなる第１の表示器と液晶表示器からなる第２の表示器と、この第１の表示器を駆動制御する回路基板とを収納してなる複合表示ユニットであり、この場合、第２の表示器は回路基板の前方側に配置され当該回路基板を通じて外部回路と接続される。
【先行技術文献】
【特許文献】
【０００４】
【特許文献１】特開２００９−１９２７６２号公報
【特許文献２】特開平１１−２６８５５６号公報
【発明の開示】
【発明が解決しようとする課題】
【０００５】
しかしながら、前記特許文献２記載の表示装置では、指針式計器の回路基板を通じて液晶表示器が外部回路と接続されるため、指針式計器の回路基板の仕様に合わせて液晶表示器の接続部を設計する必要があり、従って前記特許文献１記載のごとき液晶表示ユニットを指針式計器に組み込んで前記特許文献２の表示装置のように複合表示ユニット化するに際し、液晶表示ユニットを共通化することができない。また液晶表示ユニットを共通化するために、液晶表示ユニットの回路基板と指針式計器の回路基板の双方に外部回路と接続されるコネクタを設けることが考えられるが、通常、指針式計器の回路基板は一枚のメイン基板として使用されるため、液晶表示ユニットの回路基板よりも基板サイズが大きく、しかも液晶表示ユニットの回路基板は指針式計器の回路基板の前方に配置されるため、指針式計器の回路基板が障害となって背面カバー側から液晶表示ユニットの回路基板のコネクタにアクセスすることができないという問題がある。
【０００６】
そこで、本発明は前述した問題点に着目し、表示ユニットを共通化でき、しかも接続作業が容易な表示装置を提供することを目的とする。
【課題を解決するための手段】
【０００７】
本発明は、前面カバーと背面カバーとの間に、第１の表示器と、この第１の表示器を駆動制御する第１の回路基板と、第２の表示器と、この第２の表示器を駆動制御する第２の回路基板とを、前記第１の回路基板の前方に前記第２の回路基板が厚み方向に重なるように収納してなる表示装置において、前記第１の回路基板はその背面側に第１の外部コネクタと挿入接続される第１のコネクタを有すると共に前記第２の回路基板と厚み方向に重なる位置に開口部が設けられ、前記第２の回路基板はその背面側に第２の外部コネクタと挿入接続される第２のコネクタが前記開口部を貫通するように設けられ、前記背面カバーに前記第１のコネクタを露出させる第１の貫通部と前記第２のコネクタを露出させる第２の貫通部とを形成してなることを特徴とする。
このように構成することにより、第１の表示器と第２の表示器のそれぞれを別々にコネクタ接続できるため、表示器の共通化が可能となり、しかも第１，第２のコネクタへの接続箇所を背面カバーからの露出箇所に集中できるため、接続作業を容易とすることができる。
【０００８】
また本発明は、前記背面カバーが前記第１の回路基板側に凹む凹部を有し、この凹部の底壁部に前記第２の貫通部を設けたことを特徴とする。
このように構成することにより、第２のコネクタの高さ寸法が大きくなるのを抑えることができる。
【０００９】
また本発明は、前記凹部の側壁部と前記第２のコネクタの外周壁部との間に空間部を設けたことを特徴とする。
このように構成することにより、凹部の側壁部と第２のコネクタの外周壁部との間に作業用の空間部を確保でき、挿入作業性を円滑に行うことができる。
【発明の効果】
【００１０】
本発明によれば、表示ユニットを共通化でき、しかも接続作業が容易な表示装置を提供することができる。
【図面の簡単な説明】
【００１１】
【図１】本発明の一実施形態による表示装置の正面図。
【図２】図１のＡ−Ａ断面図（ハッチング省略）。
【図３】図２の要部拡大断面図（ハッチング省略）。
【発明を実施するための形態】
【００１２】
本発明の一実施形態による表示装置は、例えば車両の計器であり、透視カバー（前面カバー）１と、見返しフレーム２と、第１の表示器３と、第２の表示器４と、第１の回路基板５と、第２の回路基板６と、背面カバー７とで構成され、透視カバー（前面カバー）１と背面カバー７との間に見返しフレーム２と、第１の表示器３と、第２の表示器４と、第１の回路基板５と、第２の回路基板６とを収納してなる。
【００１３】
透視カバー１は、例えば透明な合成樹脂からなり、各表示器３，４を透視できるよう背面カバー７に固定されている。
【００１４】
見返しフレーム２は、例えば黒色の合成樹脂からなり、各表示器３，４の所要部を視認可能とするフレーム体である。
【００１５】
第１の表示器３は、例えば速度計、エンジン回転計、水温計、燃料計の何れかであり、駆動装置３１と、指針３２と、表示板３３とで構成され、第２の表示器４を挟むように左右に配置されている。
【００１６】
駆動装置３１は、例えばステッピングモータからなり、回路基板５の背面側に固定配置されると共に回路基板５を貫通する指針軸３４を備えている。
【００１７】
指針３２は、表示板３３に沿って伸びる指示部と、指針軸３４に圧入固定される回転中心部とを有し、回転中心部は遮光性カバーにて覆われている。
【００１８】
表示板３３は、例えば合成樹脂基材にスクリーン印刷を施してなる周知な印刷パネルであり、指針３２の指示対象となる目盛や数字等からなる指標部３５が形成されている。
【００１９】
第２の表示器４は、例えばＴＦＴ液晶表示器（液晶モジュール）からなり、車両情報として様々な画像情報を表示する。
【００２０】
第１の回路基板５は、紙フェノールやガラスエポキシ等の絶縁部材に回路パターンを印刷してなる硬質の一枚配線基板からなり、駆動装置３１が固定支持される他、例えば発光ダイオードからなり、表示板３３と指針３２を照明する複数の光源や各種回路素子（図示しない）が実装されている。
【００２１】
この第１の回路基板５は、駆動装置３１や前記光源を駆動制御するもので、その背面（背面カバー７側）には、第１のコネクタ５１が実装されている。第１のコネクタ５１は、駆動装置３１や前記光源を駆動制御するのに必要な電力や信号を入力するもので、ハウジング５２と当該ハウジング５２内に設けられ第１の回路基板５に導通接続される複数の端子５３とを備え、車体側の第１の外部コネクタ５４とプラグイン（挿入）接続可能に構成されている。第１のコネクタ５１の挿入側端部は、背面カバー７から突出（露出）しており、その突出部の周囲には防水、防塵用のパッキン５５が設けられている。更にこの第１の回路基板５には、第２の回路基板６に実装される第２のコネクタに対応した開口部５６が形成され、この開口部５６を通じて前記第２のコネクタが背面カバー７から露出する構成である。
【００２２】
第２の回路基板６は、第２の表示器４と第１の回路基板５との間に位置して第１の回路基板５と平行になるよう、第１，第２の各回路基板５，６の厚み方向に積層されている。
【００２３】
この第２の回路基板６は、第１の回路基板５よりも小さなサイズに形成され、第１の回路基板５と厚み方向に完全に重なるよう設けられ、その前面側に第２の表示器４がネジ止め固定され且つ電気接続される他、その背面側であって第１の回路基板５の開口部５６に対応する位置には、第２のコネクタ６１が実装されている。
【００２４】
この第２のコネクタ６１は、第２の表示器４を駆動制御するのに必要な電力や信号を入力するもので、ハウジング６２と当該ハウジング６２内に設けられ第２の回路基板６に導通接続される複数の端子６３とを備え、車体側の第２の外部コネクタ６４とプラグイン（挿入）接続可能に構成されている。第２のコネクタ６１は、第１の回路基板５の開口部５６を貫通して背面カバー７側に伸び、その挿入側端部は、背面カバー７から突出（露出）しており、その突出部の周囲には防水、防塵用のパッキン６５が設けられている。更にこの第２のコネクタ６１は、が背面カバー７から露出する構成である。
【００２５】
背面カバー７は、例えば透明または適宜色を有する合成樹脂からなり、第１の回路基板５の背後を覆う有底枠体として形成されている。
【００２６】
この背面カバー７の各コネクタ５１，６１に対応する箇所には、各コネクタ５１，６１を露出（貫通させる）第１，第２の貫通部７１，７２が形成されている。第２のコネクタ６１側となる第２の貫通部７２の周囲は、第１の回路基板５１側に凹む凹部７３として形成され、この凹部７３の底壁部に第２の貫通部７２が形成されている。この凹部７３は、第１の回路基板５１側に凹むことで背面カバー７を部分的に底上げし、これにより第２のコネクタ６１の高さ寸法が大きくなるのを抑えている。加えて本例では第２のコネクタ６１の高さＨ２と第１のコネクタ５１の高さＨ１を同じとし、これにより法サイズが同じ（寸法だけでなく全てが同じでもよい）コネクタの使用を可能としている。
【００２７】
更に凹部７３の側壁部と第２のコネクタ６１のハウジング（外周壁部）６２との間には、空間部Ｓが形成されている。この空間部Ｓは、第２のコネクタ６１の挿入端側を取り巻くもので、第２の外部コネクタ６４挿入接続時の作業しろ（手作業で第２の外部コネクタ６４を第２のコネクタ６１に挿入する際の第２の外部コネクタ６４を把持した手が入るスペース）を確保している。
【００２８】
以上のように本実施形態では、前面カバー１と背面カバー７との間に、第１の表示器３と、この第１の表示器３を駆動制御する第１の回路基板５と、第２の表示器４と、この第２の表示器４を駆動制御する第２の回路基板６とを、第１の回路基板５の前方に第２の回路基板６が厚み方向に重なるように収納してなる表示装置において、第１の回路基板５はその背面側に第１の外部コネクタ５４と挿入接続される第１のコネクタ５１を有すると共に第２の回路基板６と厚み方向に重なる位置に開口部５６が設けられ、第２の回路基板６はその背面側に第２の外部コネクタ６４と挿入接続される第２のコネクタ６１が開口部５６を貫通するように設けられ、背面カバー７に第１のコネクタ５１を露出させる第１の貫通部７１と第２のコネクタ６１を露出させる第２の貫通部７２とを形成してなることことにより、第１の表示器３と第２の表示器４のそれぞれを別々にコネクタ接続できるため、表示器の共通化が可能となり、しかも第１，第２のコネクタ５１，６１への接続箇所を背面カバー７からの露出箇所に集中できるため、接続作業を容易とすることができる。
【００２９】
また本実施形態では、背面カバー７が第１の回路基板５１側に凹む凹部７３を有し、この凹部７３の底壁部に第２の貫通部７２を設けたことにより、第２のコネクタ６１の高さ寸法を抑えることができる。加えて本例では第２のコネクタ６１の高さＨ２と第１のコネクタ５１の高さＨ１を同じとし、これにより法サイズが同じ（寸法だけでなく全てが同じでもよい）コネクタの使用を可能としている。
【００３０】
また本実施形態では、凹部７３の側壁部と第２のコネクタ６１の外周壁部との間に空間部Ｓを設けたことにより、凹部７３の側壁部と第２のコネクタ６１の外周壁部との間に作業用のスペースを確保でき、挿入作業性を円滑に行うことができる。
【００３１】
なお本実施形態では、２枚の回路基板５１，６１を重ねる例を示したが、３枚以上重ねてもよい。例えば３枚重ねる場合は、背面カバー７に最も近い回路基板に残りの２枚の回路基板に実装されるコネクタを貫通させるための開口部を設ければよい。
【００３２】
また本実施形態では、開口部５６を貫通孔としたが、切り欠きであってもよい。
【符号の説明】
【００３３】
１  透視カバー（前面カバー）
２  見返しフレーム
３  第１の表示器
４  第２の表示器
５  第１の回路基板
６  第２の回路基板
７  背面カバー
３１  駆動装置
３２  指針
３３  表示板
３４  指針軸
３５  指標部
５１  第１のコネクタ
５２，６２  ハウジング
５３，６３  端子
５４  第１の外部コネクタ
５５，６５  パッキン
５６  開口部
６１  第２のコネクタ
６４  第２の外部コネクタ
７１，７２  第１，第２の貫通部
７３  凹部
Ｓ  空間部
【図１】
0005382339.tif 000002
【図２】
0005382339.tif 000003
【図３】
0005382339.tif 000004